(57)【要約】      （修正有）【課題】液漏れを生じさせることなく、口金どうしの連結部分を直接洗滌消毒することができる内視鏡洗滌用のアダプタを提供する。【解決手段】内視鏡洗滌用のアダプタ１０は、アダプタ本体が内視鏡１に連結された状態において、透孔４１から管状部材６０の基端部６１、７１のアダプタ口金と内視鏡１の管路口金１１、１２との連結部分が外部に露出されている。透孔４１の上下方向における長さ寸法が５〜１５ｍｍである。【選択図】図２
2019130067.tif 000002
【特許請求の範囲】
【請求項１】
上下方向、幅方向及び前後方向を有し、内視鏡洗滌装置の装置本体から延びる接続チューブと内視鏡とを連結するための内視鏡洗滌用のアダプタにおいて、
前記装置本体は、前記内視鏡を洗滌するための複数の噴射ノズルを備え、
前記アダプタは、アダプタ本体と、前記アダプタ本体を被覆するカバー部材とを有し、
前記アダプタ本体は、ベース部材と、前記ベース部材に取り付けられた、管路を介して洗滌手段を導くための管状部材を有し、
前記管状部材は、前記ベース部材から上方へ突出して前記接続チューブが連結される先端部と、前記内視鏡の管路口金に連結されるアダプタ口金を有する基端部とを有し、
前記カバー部材は、前記前後方向において対向する前面壁と後面壁とを有し、
前記前後面壁の少なくとも一方において、前記幅方向へ延びる透孔が形成されており、
前記アダプタ本体が前記内視鏡に連結された状態において、前記透孔から前記管状部材の前記基端部の前記アダプタ口金と前記内視鏡の前記管路口金との連結部分が外部に露出されており、
前記透孔の前記上下方向における長さ寸法が５〜１５ｍｍであることを特徴とする前記内視鏡洗滌用のアダプタ。
【発明の詳細な説明】
【技術分野】
【０００１】
本発明は、内視鏡洗滌用のアダプタに関する。
【背景技術】
【０００２】
従来、内視鏡洗滌用アダプタは、公知である。例えば、特許文献１には、内視鏡洗滌装置の装置本体から洗滌水等の洗滌手段を供給する接続チューブと、内視鏡内部の各チャンネルとを連結するためのアダプタが開示されている。アダプタは、アダプタ本体とカバー部材とを有する。
【先行技術文献】
【特許文献】
【０００３】
【特許文献１】特開２０１０−１１９７７号公報
【０００４】
特許文献１に開示の内視鏡洗滌用アダプタにおいては、アダプタのアダプタ口金（液体供給口金）と内視鏡の挿入部の盤面に位置する管路口金とが連結されることによって、液体が接続チューブを介してアダプタ内の管路を通過して内視鏡内部のチャンネルに供給される。アダプタのアダプタ口金と内視鏡の挿入部の管路口金との間には隙間が形成されており、隙間から洗滌水が漏れ出ることによって、両口金の外周縁部を液体によって洗滌消毒することができる。
【０００５】
しかしながら、かかる構成を有する内視鏡洗滌用アダプタにおいては、液体の送水量と内視鏡に供給されて排出される排出量とが異なることから、送水量に基づいて内視鏡内部の管路詰まりを正確に把握することができない。
【０００６】
一方、液体漏れによる洗滌消毒ではなく、例えば、洗滌槽内の噴射ノズルによってアダプタに直接液体を噴射する場合であっても、アダプタ本体はカバー部材に被覆されていることから口金どうしの連結部分に液体を直接噴射することができない。
【発明の概要】
【発明が解決しようとする課題】
【０００７】
本発明は、従来の発明の改良であって、液漏れを生じさせることなく、口金どうしの連結部分を直接洗滌消毒することができる内視鏡洗滌用アダプタの提供に関する。
【課題を解決するための手段】
【０００８】
本発明は上下方向、幅方向及び前後方向を有し、内視鏡洗滌装置の装置本体から延びる接続チューブと内視鏡とを連結するための内視鏡洗滌用のアダプタに関する。
【０００９】
本発明に係る内視鏡洗滌用のアダプタは、前記装置本体は、前記内視鏡を洗滌するための複数の噴射ノズルを備え、前記アダプタは、アダプタ本体と、前記アダプタ本体を被覆するカバー部材とを有し、前記アダプタ本体は、ベース部材と、前記ベース部材に取り付けられた、管路を介して洗滌手段を導くための管状部材を有し、前記管状部材は、前記ベース部材から上方へ突出して前記接続チューブが連結される先端部と、前記内視鏡の管路口金に連結されるアダプタ口金を有する基端部とを有し、前記カバー部材は、前記前後方向において対向する前面壁と後面壁とを有し、前記前後面壁の少なくとも一方において、前記幅方向へ延びる透孔が形成されており、前記アダプタ本体が前記内視鏡に連結された状態において、前記透孔から前記管状部材の前記基端部の前記アダプタ口金と前記内視鏡の前記管路口金との連結部分が外部に露出されており、前記透孔の前記上下方向における長さ寸法が５〜１５ｍｍであることを特徴とする。
【発明の効果】
【００１０】
本発明に係る内視鏡洗滌用のアダプタは、前面壁及び／又は後面壁に形成された透孔から管状部材の基端部のアダプタ口金と内視鏡の管路口金との連結部分が外部に露出されていることから、噴射ノズルから噴射された洗滌水を連結部分に直接噴射することによって、連結部分における汚れの洗い残し等を生じるおそれはない。また、透孔の縦方向における長さ寸法が５〜１５ｍｍであることから、連結部分全体に洗滌水を直接噴射して洗滌・消毒することができる。
【図面の簡単な説明】
【００１１】
図面は、本発明の特定の実施の形態を示し、発明の不可欠な構成ばかりでなく、選択的及び好ましい実施の形態を含む。
【図１】内視鏡洗滌装置の洗滌槽に内視鏡を配置した状態において、内視鏡の操作部にアダプタを取り付けた様子を示す斜視図。
【図２】図１の一点鎖線ＩＩ線で囲んだ領域の拡大図。
【図３】アダプタの側面図。
【図４】アダプタ本体をスライドさせた状態における、アダプタの斜視図。
【図５】アダプタの底面図。
【図６】カバー部材の斜視図。
【図７】アダプタが内視鏡の操作部に連結されていない状態における、アダプタと操作部との断面図。
【図８】（ａ）アダプタを操作部に取り付けた状態における、アダプタと操作部との断面図。（ｂ）図２のＶＩＩＩ（ｂ）−ＶＩＩＩ（ｂ）線に沿う断面図。
【発明を実施するための形態】
【００１２】
下記の実施の形態は、図１〜図８に示す内視鏡洗滌用のアダプタ１０に関し、発明の不可欠な構成ばかりでなく、選択的及び好ましい構成を含む。
【００１３】
図１及び２を参照すると、内視鏡１は、内視鏡洗滌装置１００の装置本体１１０の洗滌槽１３０内において吊持された状態で配置されている。内視鏡１は、操作部２と、操作部２の基端から延びるユニバーサルコード部の先端に位置するコネクタ部３と、操作部２の先端から延びる挿入部４を有する。操作部２は、操作盤面２ａにおいて、内部の吸引チャンネル７につながる吸引ボタン挿入用の開口を画成する第１管路口金１１と、内部の送気・送水チャンネル８につながる送気・送水ボタン挿入用の開口を画成する第２管路口金１２とを有する。第１及び第２管路口金１１，１２は、操作部２の平坦な操作盤面２ａから突出している。また、操作部２の先端部には、鉗子チャンネルにつながる干支栓挿入用の開口を画成する第３管路口金１３が位置する。第１〜第３管路口金１１〜１３には、それぞれ、吸引ボタン、送気・送水ボタン、鉗子栓がそれぞれ着脱可能にセットされる。
【００１４】
装置本体１１０は、洗滌槽１３０内に配置された内視鏡１の上方に位置する第１カセット１３１と第２カセット１３２とを有する。第１カセット１３１の開口には洗滌ブラシ・送水用の洗滌チューブ（接続チューブ）１０１が取り付けられ、第２カセット１３２の開口には送水・送気用の連結チューブ（接続チューブ）１０２が取り付けられている。第１カセット１３１の内部には、ブラシ送り用モータが設けられており、該モータによって洗滌ブラシ１２０が洗滌チューブ１０１内において前進・後退可能に駆動され、内視鏡１の内部の吸引チャンネル７をブラッシングすることができる。
【００１５】
洗滌槽１３０の内壁には、内視鏡１を洗滌・消毒するために洗滌水１５０を噴射する複数の噴射ノズル１３５ａ〜１３５ｄが配置されている。洗滌チューブ１０１及び連結チューブ１０２内から内視鏡１内へ送液される洗滌水と噴射ノズル１３５ａ〜１３５ｄから噴射される洗滌水１５０とは、アルカリ性電解水、強酸性電解水、水道水、洗剤を混ぜた薬液等であって、内視鏡１の内部及び外部を洗滌、消毒及び薬剤等のすすぎ用として用いられる。
【００１６】
図３を参照すると、内視鏡洗滌装置用のアダプタ（以下、アダプタ）１０は、上下方向（縦方向）Ｙ、幅方向Ｘ及び前後方向Ｚを有し、アダプタ本体２０と、アダプタ本体２０を被覆するカバー部材３０とを含む。アダプタ１０は、前面１０ａ，後面１０ｂ，上面１０ｃ，下面１０ｄを有する。なお、アダプタ１０の各方向Ｘ，Ｙ，Ｚは、説明の便宜上使用するものであって、内視鏡１及び／又は内視鏡洗滌装置１００との関係において、幅方向Ｘが前後方向、前後方向Ｚが幅方向としてもよい。
【００１７】
アダプタ本体２０は、金属製であって、ブロック状のベース部材５０と、ベース部材５０に取り付けられた、第１及び第２管状部材６０，７０とを有する。第１管状部材６０の先端部６２に第１カセット１３１から延びる洗滌チューブ１０１が取り付けられ、第２管状部材７０の先端部７２に第２カセット１３２から延びる連結チューブ１０２が取り付けられている。
【００１８】
図４及び図６を参照すると、カバー部材３０は、硬質合成樹脂製であって、上面壁３１と、底面壁３２と、前面壁３３と、後面壁３４と、側面壁３５とを有する。側面壁３５の幅方向Ｘの反対側には、カバー開口部３６が位置している。上面壁３１は、カバー開口部３６から側面壁３５へ向かってＵ字に延びる上面開口３１ａを有する。底面壁３２は、カバー開口部３６から側面壁３５へ向かって凸曲状に延びる底面開口８０を有する。また、前面壁３３は、上面壁３１側に位置して幅方向Ｘへ延びる窓孔４０と、窓孔４０の下方に位置して幅方向Ｘへ延びる第１透孔（前方透孔）４１とを有する。後面壁３４は、前面壁３３の第１透孔４１と前後方向Ｚに対向するように幅方向Ｘへ延びる第２透孔（後方透孔）４２を有する。側面壁３５は、その上下方向Ｙの略中央部において前後方向Ｚへ延びる第３透孔（側方透孔）４３を有する。
【００１９】
カバー部材３０の前面壁３３において、窓孔４０と第１透孔４１とは、前面壁３３の両側縁から離間して位置している。同様に、後面壁３４においても、第２透孔４２は、後面壁３４の両側縁から離間して位置している。カバー部材３０の底面壁３２は、底面開口８０の一部を画成する、幅方向Ｘにおいて互いに離間して直線状に延びる前後スライド押さえ部８３ａ，８３ｂと、開口端３６ａ側に位置する第１曲状部分８３ｃ，前スライド押さえ部８３ａと後スライド押さえ部８３ｂとの間に位置する第２曲状部分８３ｄとを有する。
【００２０】
図４を参照すると、カバー部材３０の後面壁３４に位置する窓孔４０には、アダプタ本体２０の後面壁３４の外面から突出するストッパー５５が配置されている。カバー部材３０は、アダプタ２０本体を被覆している状態において幅方向Ｘへスライド移動可能であって、図４に示すように、アダプタ１０が操作盤面２ａにセットされる前には、アダプタ本体２０の第１管状部材６０側の一部がカバー開口部３６から幅方向Ｘの外側へ延出してカバー部材３０に被覆されておらず、かつ、ストッパー５５が窓孔４０の端部４０ａ側に位置している状態にある。図５に示すとおり、かかる態様から、カバー部材３０を矢印Ｐの方向へスライド移動させることによって、アダプタ本体２０全体がカバー部材３０に被覆されるとともに、ストッパー５５が窓孔４０の端部４０ｂに当接してカバー部材３０のスライド移動が阻止される。
【００２１】
第１管状部材６０は、円筒状の基端部（大径部）６１と、基端部６１から上方へ延びる円筒状の先端部（小径部）６２と、基端部６１と先端部６２との間に位置する円筒状の中間部（中径部）６３と、先端部６２の先端開口６２ａから基端部６１の基端開口６１ａまで第１管状部材６０を上下方向Ｙに貫通して延びる第１管路６４とを有する。同様に、第２管状部材７０は、円筒状の基端部（大径部）７１と、基端部７１から上方へ延びる円筒状の先端部（小径部）７２と、基端部７１と先端部７２との間に位置する円筒状の中間部（中径部）７３と、先端部７２の先端開口７２ａから基端部７１の基端開口７１ａまで第２管状部材７０を上下方向Ｙに貫通して延びる第２管路７４とを有する。
【００２２】
第１及び第２管状部材６０，７０は、ベース部材５０を上下方向Ｙにおいて貫通する嵌合孔５１，５２に基端部６１，７１と中間部６３，７３とが嵌挿されることによって、ベース部材５０に固定されている。具体的には、基端部６１，７１が嵌合孔５１，５２の下方側に位置する大径孔部位５１ａ，５２ａに嵌挿され、中間部６３，７３が上方側に位置する小径孔部位５１ｂ，５２ｂに嵌挿される。ベース部材５０の嵌合孔５２は、大径孔部位５２ａと小径孔部位５２ｂとの間に中径孔部位５２ｃをさらに有し、中径孔部位５２ｃの上端と第２管状部材７０の基端部７１との間には、中間部７３に巻装されたコイルばね（付勢手段）７５が蓄勢状態で配置されている。コイルばね７５の付勢によって、アダプタ本体２０の上面はカバー部材３０の上面壁３１の内面側、アダプタ本体２０の下面はカバー部材３０の底面壁３２の内面側にそれぞれ密接されて、アダプタ本体２０がカバー部材３０に固定された状態が維持されている。
【００２３】
第１管状部材６０と第２管状部材７０とは、それぞれ、基端部６１，７１の下端部分からなる第１及び第２アダプタ口金６６，７６を有する。第１管状部材６０のアダプタ口金６６は、外周壁部６６ａと外周壁部６６ａの内側において同心状に位置する内周壁部６６ｂとを有し、外周壁部６６ａと内周壁部６６ｂとの間には、シリコーンゴム等の軟質弾性材料から形成された第１Ｏ-リング９１が配置される。
【００２４】
第２管状部材７０の第２アダプタ口金７６は、フランジ状の挿入部７６ａと挿入部７６ａの上方に位置する外周溝７６ｂとを有し、外周溝７６ｂには、シリコーンゴム等の軟質弾性材料から形成された第２Ｏ-リング９２が配置されている。
【００２５】
図７，図８（ａ），（ｂ）は、アダプタ１０が内視鏡１の操作盤面２ａまで移動して取り付けられてセットが完了するまでの過程を示す図である。図７及び図８（ａ）を参照すると、アダプタ１０を操作盤面２ａへ向かって下降させることによって、第１Ｏ−リング９１が第１管路口金１１に当接して第１管状部材６０と吸引チャンネル７とがつながる。
【００２６】
また、第２管状部材７０では、第２アダプタ口金７６の挿入部７６ａが第２管路口金１２の開口から送気・送水チャンネル８へ進入して、第２Ｏ−リング９２が送気・送水チャンネル８の内周面に密着するとともに、基端部７１の下面が第２管路口金１２に当接することによって、第２管状部材７０と送気・送水チャンネル８とがつながる。かかる状態において、アダプタ１０を操作盤面２ａに向かってさらに押圧することによって、第１及び第２Ｏ−リング９１，９２とコイルばね７５とがそれぞれ圧縮されて、第１及び第２Ｏ−リング９１，９２は圧縮変形した状態となる。このとき、第１管路口金１１の上方へ突出する環状突起１１ａが、第１アダプタ口金６６の内周壁部６６ｂと第１Ｏ−リング９１との間に挿し込まれる。
【００２７】
図８（ａ）を参照すると、アダプタ１０を操作盤面２ａに押圧した状態において、カバー開口部３６の開口端３６ａは第１管路６４と重なって位置しており、第１管路口金１１の外周には底面壁３２の第１曲状部分８３ｃが位置している。
【００２８】
操作者がアダプタ１０を操作盤面２ａに向かって押圧しながら、カバー部材３０を矢印Ｐの方向へストッパー５５が窓孔４０の端部４０ｂに当接されて停止するまでスライドすることによって、底面壁３２の前スライド押さえ部８３ａが第１管路口金１１の下方に入り込んで摺接されるとともに、後スライド押さえ部８３ｂが第２管路口金１２の下側へ入り込んで摺接される。かかる状態において、アダプタ１０を押圧から解放することによって、第１及び第２管路口金１１，１２が上方に位置する第１及び第２アダプタ口金６６，７６と下方に位置する前後スライド押さえ部８３ａ，８３ｂとの間に上下方向から挟持された状態となり、アダプタ１０の内視鏡１の操作部２１に対する取付操作が完了する。
【００２９】
再び、図１，２を参照すると、アダプタ１０を内視鏡１の操作部２１に取り付けた状態において、第１透孔４１から第１アダプタ口金６６と第１管路口金１１との連結部分９５と、第２アダプタ口金７６と第２管路口金１２との連結部分９６とが外部に露出している。このように、カバー部材３０によってアダプタ本体２０の全体が被覆されておらず、連結部分９５，９６が外部に露出することによって、噴射ノズル１３５ａ〜１３５ｄから噴射された洗滌水１５０を連結部分９５，９６に直接噴射することができる。これによって、連結部分９５，９６を洗滌・消毒して、各口金１１，１２，６６，７６の周縁部に付着した汚れの洗い残しを防止することができる。
【００３０】
また、第１透孔４１を介して、連結部分９５，９６に直接噴射されずにその上方の基端部６１，７１に噴射された洗滌水１５０であっても、基端部６１，７１は円筒状を有することから、洗滌水１５０がそのまま撥ね返されることはなく、基端部６１，７１の外周面を伝って下方の連結部分９５，９６に誘導することができる。
【００３１】
図６を参照すると、カバー部材３０の上下方向Ｙの寸法Ｈ１は、２０〜３０ｍｍ、幅方向の寸法Ｗ１は、４０〜５０ｍｍ、前後方向の寸法Ｌ１は、２０〜３０ｍｍである。また、噴射ノズル１３５ａ〜１３５ｄから噴射された洗滌水１５０を基端部６１，６２に噴射して連結部分９５，９６に洗滌水を到達させるためには、第１透孔４１の上下方向Ｙの長さ寸法（幅寸法）Ｈ２は、５〜１５ｍｍ、幅方向Ｘの寸法（長さ寸法）Ｗ２は、２５〜３５ｍｍであることが好ましい。特に、第１透孔４１の上下方向Ｙの長さ寸法Ｗ２が５ｍｍ未満の場合には、噴射ノズル１３５ａ〜１３５ｂから噴射された洗滌水１５０が連結部分９５，９６に十分に噴射されるとはいえず、連結部分９５，９６の汚れを洗い残すおそれがある。一方、長さ寸法Ｗ２が１５ｍｍを超える場合には、アダプタ１０の外形寸法が相対的に大きくなり、操作者が狭い洗滌槽１３０内で扱い難くなる。
【００３２】
アダプタ１０のカバー部材３０は、前面壁３３に位置する第１透孔４１のみならず、後面壁３４に位置する第２透孔４２をさらに有する。第２透孔４２は、第１透孔４１と前後方向Ｚにおいて対向して位置するものであって、好ましくは、第１透孔４１と同様の幅寸法及び長さ寸法を有する。したがって、アダプタ１０の後面側から洗滌水１５０が噴射される場合であっても、第２透孔４２を介して連結部分９５，９６に洗滌水１５０を直接噴射することができる。アダプタ１０は、噴射ノズル１３５ａ〜１３５ｄから洗滌水１５０を連結部分９５，９６に直接噴射することができる限りにおいて、第１及び第２透孔４１，４２の少なくとも一方を有していればよい。
【００３３】
さらに、カバー部材３０は、側面壁３５において前後方向Ｚへ延びる第３透孔４３を有する。したがって、例えば、洗滌槽１３０内においてアダプタ１０の側面壁３５に位置する噴射ノズル１３５ｂ，１３５ｄから噴射された洗滌水１５０がアダプタ本体２０に直接噴射されることによって、第２管状部材７０の円筒状の基端部７１をつたって第２管路口金１２に洗滌水を到達させることができる。このように、第３透孔４３を介して第２管路口金１２に洗滌水１５０を到達させるためには、第３透孔４３の上下方向の寸法Ｈ３は４．０〜８．０ｍｍ、幅方向の寸法Ｗ３は、１５〜３０ｍｍであることが好ましい。
【００３４】
本発明に係るアダプタ１０は、ベース部材５０に取り付けられた複数の管状部材６０，７０を有しているが、少なくとも１つの管状部材を有していればよい。また、アダプタ１０を構成する各構成部材の材料には、この種の分野で通常使用されている公知の材料を制限なく使用することができる。
【符号の説明】
【００３５】
１  内視鏡
１０  アダプタ
１１  第１管路口金（管路口金）
１２  第２管路口金（管路口金）
２０  アダプタ本体
３０  カバー部材
４１  第１透孔（透孔）
４２  第２透孔（透孔）
５０  ベース部材
６０  第１管状部材
６１  第１管状部材の基端部
６２  第１管状部材の先端部
６４  第１管路（管路）
６６  第１アダプタ口金（アダプタ口金）
７０  第２管状部材
７２  第２管状部材の先端部
７１  第２管状部材の基端部
７４  第２管路（管路）
７６    第２アダプタ口金（アダプタ口金）
１００  内視鏡洗滌装置
１０１  洗滌用チューブ（接続チューブ）
１０２  連結チューブ（接続チューブ）
１１０  装置本体
１３５ａ〜１３５ｄ  噴射ノズル
Ｘ  幅方向
Ｙ  上下方向
Ｚ  前後方向
Ｈ２  透孔の縦方向における長さ寸法
【図１】
2019130067.tif 000003
【図２】
2019130067.tif 000004
【図３】
2019130067.tif 000005
【図４】
2019130067.tif 000006
【図５】
2019130067.tif 000007
【図６】
2019130067.tif 000008
【図７】
2019130067.tif 000009
【図８】
2019130067.tif 000010